【手続補正書】
【提出日】平成27年6月2日(2015.6.2)
【手続補正１】
【補正対象書類名】特許請求の範囲
【補正対象項目名】全文
【補正方法】変更
【補正の内容】
【特許請求の範囲】
【請求項１】
画像形成装置において、
それぞれが、像担持体または像担持体に作用するプロセス部材の少なくとも一方を有する、複数のカートリッジと、
前記複数のカートリッジを取り外し可能に装着し、前記画像形成装置の内部と外部とを移動可能な移動部材と、
を備え、
前記移動部材に装着されて隣り合った一対のカートリッジのうち、一方のカートリッジは、その枠体から窪んで前記カートリッジの装着方向に沿って延びる凹部を有し、他方のカートリッジは、その枠体から突出して前記装着方向に沿って延びる凸部を有し、
前記一対のカートリッジが前記移動部材に装着される際に、前記他方のカートリッジに設けられた前記凸部は、前記一方のカートリッジに設けられた前記凹部に進入するものであって、
前記像担持体の軸線方向に沿って見たときに、前記凸部と前記凹部の位置が重なることを特徴とする画像形成装置。
【請求項２】
前記画像形成装置は、前記像担持体を複数備えるカラー画像形成装置であって、
前記一対のカートリッジは、それぞれ異なる色の画像を形成するためのカートリッジであることを特徴とする請求項１に記載の画像形成装置。
【請求項３】
前記一対のカートリッジは、前記像担持体の軸線方向と交差する方向に移動して、前記移動部材に装着されることを特徴とする請求項１に記載の画像形成装置。
【請求項４】
前記一対のカートリッジのうち、前記一方のカートリッジは前記凹部を複数有し、前記他方のカートリッジは前記凸部を複数有するものであって、各凸部と各凹部を前記像担持体の軸線方向に沿ってみたときに、対応する凸部と凹部は位置が重なることを特徴とする請求項１乃至３のいずれか１項に記載の画像形成装置。
【請求項５】
前記一対のカートリッジはともに、前記像担持体および、前記プロセス部材としての現像剤担持体を有するプロセスカートリッジであることを特徴とする請求項１乃至３のいずれか１項に記載の画像形成装置。
【請求項６】
前記プロセスカートリッジは前記枠体として、前記像担持体を支持する第１の枠体と、前記現像剤担持体を支持する第２の枠体を有し、
前記一方のカートリッジが有する第１の枠体に前記凹部が形成され、かつ、前記他方のカートリッジが有する第２の枠体に前記凸部が形成されるか、
前記一方のカートリッジが有する第２の枠体に前記凹部が形成され、かつ、前記他方のカートリッジが有する第１の枠体に前記凸部が形成されることを特徴とする請求項５に記載の画像形成装置。
【請求項７】
前記一対のカートリッジが、前記像担持体を有するカートリッジと、前記プロセス部材としての現像剤担持体を有するカートリッジから成ることを特徴とする請求項１乃至３のいずれか１項に記載の画像形成装置。
【請求項８】
前記一対のカートリッジのうち、前記一方のカートリッジは、その枠体から突出して前記カートリッジの装着方向に沿って延びる凸部をさらに有し、前記他方のカートリッジは、その枠体から窪んで前記カートリッジに装着方向に沿って延びる凹部をさらに有し、
前記一対のカートリッジを前記移動部材に装着する際に、前記一方のカートリッジに設けられた前記凸部は、前記他方のカートリッジに設けられた前記凹部に進入するものであって、
前記一対のカートリッジに設けられた各凸部と各凹部を、前記像担持体の軸線方向に見たとき、対応する凸部と凹部の位置が重なることを特徴とする請求項１乃至３のいずれか１項に記載の画像形成装置。
【請求項９】
画像形成装置において、
それぞれが、像担持体または像担持体に作用するプロセス部材の少なくとも一方を有する、複数のカートリッジと、
前記複数のカートリッジを取り外し可能に装着し、前記画像形成装置の内部と外部とを移動可能な移動部材と、
を備え、
前記移動部材に装着された複数のカートリッジのうち、両隣を他のカートリッジによって挟まれた中央のカートリッジは、その枠体から窪んで前記カートリッジの装着方向に沿って延びる凹部と、その枠体から突出して前記装着方向に沿って延びる凸部とを有し、
前記複数のカートリッジを前記移動部材に装着する際に、前記中央のカートリッジに設けられた凹部には、両隣のカートリッジのうちの一方のカートリッジに設けられた凸部が進入し、前記中央のカートリッジに設けられた凸部は、両隣のカートリッジのうちの他方のカートリッジに設けられた凹部に進入するものであって、
前記複数のカートリッジに設けられた各凸部と各凹部を、前記像担持体の軸線方向に沿ってみたとき、対応する凸部と凹部の位置が重なることを特徴とする画像形成装置。
【請求項１０】
前記画像形成装置は、前記像担持体を複数備えるカラー画像形成装置であって、
前記複数のカートリッジは、それぞれ異なる色の画像を形成するためのカートリッジであることを特徴とする請求項９に記載の画像形成装置。
【請求項１１】
前記複数のカートリッジは、前記像担持体の軸線方向と交差する方向に移動して、前記移動部材に装着されることを特徴とする請求項９に記載の画像形成装置。
【請求項１２】
前記複数のカートリッジのうち、前記中央のカートリッジは前記凹部と前記凸部を複数有し、前記両隣のカートリッジのうちの前記一方のカートリッジは前記凸部を複数有し、前記他方のカートリッジは、前記凹部を複数するものであって、
各凸部と各凹部を前記像担持体の軸線方向に沿ってみたときに、対応する凸部と凹部は位置が重なることを特徴とする請求項９乃至１１のいずれか１項に記載の画像形成装置。
【請求項１３】
前記複数のカートリッジはすべて、前記像担持体および、前記プロセス部材としての現像剤担持体を有するプロセスカートリッジであることを特徴とする請求項９乃至１１のいずれか１項に記載の画像形成装置。
【請求項１４】
前記プロセスカートリッジは前記枠体として、前記像担持体を支持する第１の枠体と、前記現像剤担持体を支持する第２の枠体を有し、
前記中央のカートリッジは、前記第１の枠体と前記第２の枠体の一方の枠体に前記凹部を有し、かつ、他方の枠体に前記凸部を有することを特徴とする請求項１３に記載の画像形成装置。
【請求項１５】
画像形成装置の装置本体に着脱可能なカートリッジにおいて、
像担持体または像担持体に作用するプロセス部材の少なくとも一方と、
前記像担持体または前記プロセス部材を支持する枠体と、
前記枠体から窪んで前記カートリッジの装着方向に沿って延びる凹部と、
前記枠体から突出して前記装着方向に沿って延びる凸部と、
を備え、
前記カートリッジは、前記画像形成装置の外部と内部を移動可能な移動部材に他のカートリッジとともに装着され、その両隣を他のカートリッジに挟まれて配置される中央のカートリッジになるものであって、
各カートリッジを前記移動部材に装着する際に、前記中央のカートリッジに設けられた凹部には、両隣のカートリッジのうちの一方のカートリッジに設けられた凸部が進入し、前記中央のカートリッジに設けられた凸部は、両隣のカートリッジのうちの他方のカートリッジに設けられた凹部に進入し、
各カートリッジに設けられた各凸部と各凹部を、前記像担持体の軸線方向に沿ってみたとき、対応する凸部と凹部の位置が重なることを特徴とするカートリッジ。
【請求項１６】
像担持体と、
前記プロセス部材としての現像剤担持体と、
を備えたプロセスカートリッジであることを特徴とする請求項１５に記載のカートリッジ。
【手続補正２】
【補正対象書類名】明細書
【補正対象項目名】００１７
【補正方法】変更
【補正の内容】
【００１７】
上記課題を解決する為に、本発明に係わる電子写真画像形成装置の代表的な構成は、
画像形成装置において、
それぞれが、像担持体または像担持体に作用するプロセス部材の少なくとも一方を有する、複数のカートリッジと、
前記複数のカートリッジを取り外し可能に装着し、前記画像形成装置の内部と外部とを移動可能な移動部材と、
を備え、
前記移動部材に装着されて隣り合った一対のカートリッジのうち、一方のカートリッジは、その枠体から窪んで前記カートリッジの装着方向に沿って延びる凹部を有し、他方のカートリッジは、その枠体から突出して前記装着方向に沿って延びる凸部を有し、
前記一対のカートリッジが前記移動部材に装着される際に、前記他方のカートリッジに設けられた前記凸部は、前記一方のカートリッジに設けられた前記凹部に進入するものであって、
前記像担持体の軸線方向に沿って見たときに、前記凸部と前記凹部の位置が重なることを特徴とする。